(57)【要約】【課題】個人の音の聴感を、脳を含めた反応を反映されたものとして検査して、聴感の個人差を客観化し、その検査結果をオーディオ信号に反映させて、ユーザ個々に最適な音場空間を提供することができるオーディオ信号再生装置を提供する。【解決手段】再生されたオーディオ信号の音響特性を、補正制御信号に応じて補正する補正手段１０８と、この補正手段１０８からのオーディオ信号を再生出力として出力する手段と、人の耳の聴感特性を検査するための検査装置部１００と、この検査装置部１００での検査結果に基づいて、補正手段１０８に送る補正制御信号を生成する制御手段とを備える。検査装置部１００は、聴覚の時間と強さの交換作用を用いた検査をおこなうもので、両耳に所定の音を加え、それに対する脳を含めた反応がわかり易く示せる方法で個人の耳の特性を検査する。【選択図】図２
2006319847.tif 000002
【特許請求の範囲】
【請求項１】
再生されたオーディオ信号の音響特性を、補正制御信号に応じて補正する補正手段と、
前記補正手段からのオーディオ信号を再生出力として出力する手段と、
人の耳の聴感特性を検査するための検査装置部と、
前記検査装置部での検査結果に基づいて、前記補正部に送る前記補正制御信号を生成する制御手段と、
を備えるオーディオ信号再生装置であって、
前記検査装置部は、
被験者の左耳と右耳のそれぞれが聴取する音を再生する左耳用音響再生手段と右耳用音響再生手段とに、検査用のオーディオ帯域の信号を出力する手段と、
前記検査用のオーディオ帯域の信号を発生する信号発生手段と、
前記左耳用音響再生手段に供給される信号と前記右耳用音響再生手段に供給される信号との間に時間差を与える時間差付与手段と、
前記時間差付与手段により前記時間差が付与された前記左耳用音響再生手段に供給される信号と前記右耳用音響再生手段に供給される信号との間の音量差を、前記被験者がなした操作入力に応じて調節する音量差調節手段と、
前記左耳用音響再生手段と前記右耳用音響再生手段との間の中央の位置に、前記検査用のオーディオ帯域の信号による再生音像が定位するように、前記被験者がなした操作入力に応じた前記音量差調節手段における前記音量差の値を取得する音量差取得手段と、
少なくとも前記時間差と前記音量差取得手段で取得された前記音量差との関係から前記被験者の聴感の特性を判定し、その判定結果を前記検査結果として前記制御手段に供給する判定手段と、
を備えることを特徴とするオーディオ信号再生装置。
【請求項２】
請求項１に記載のオーディオ信号再生装置において、
前記検査装置部は、
少なくとも前記時間差と前記音量差取得手段で取得された前記音量差との関係から予め分類分けされた複数タイプについてのタイプ分類情報を記憶するタイプ分類情報記憶手段を備え、
前記判定手段は、少なくとも、前記音量差取得手段で取得された前記音量差と、前記時間差と、前記タイプ分類情報記憶手段の前記タイプ分類情報とを用いて、前記被験者が前記複数タイプのうちのいずれのタイプに属するかを判定する
ことを特徴とするオーディオ信号再生装置。
【請求項３】
請求項２に記載のオーディオ信号再生装置において、
前記検査装置部は、
前記信号発生手段からの前記検査用のオーディオ帯域の信号として、単一周波数の信号とノイズ系の信号との２種類の信号を用い、
前記音量差取得手段は、前記単一周波数の信号および前記ノイズ系の信号のそれぞれについて前記被験者の操作入力に応じた音量差の情報を取得するものであると共に、
前記タイプ分類情報は、前記２種類の信号についての、前記時間差と前記音量差との関係も考慮されて予め分類分けされたものである
ことを特徴とするオーディオ信号再生装置。
【請求項４】
請求項２に記載のオーディオ信号再生装置において、
前記検査装置部は、
前記時間差付与手段で付与される時間差として、少なくとも異なる２種類の時間差を用い、それぞれの時間差について前記被験者の操作入力に応じた音量差の情報を求めると共に、
前記タイプ分類情報は、前記２種類の時間差と前記音量差との関係が考慮されて予め分類分けされたものである
ことを特徴とするオーディオ信号再生装置。
【請求項５】
請求項２に記載のオーディオ信号再生装置において、
前記検査装置部は、
前記左耳用音響再生手段および前記右耳用音響再生手段への信号に対する前記時間差の与え方を、左右入れ換える手段を備え、
前記左右入れ換え手段で入れ換えられた時の時間差について前記被験者の操作入力に応じた音量差の情報を求めると共に、
前記タイプ分類情報は、前記左右入れ換えられた時の２種類の前記時間差と前記音量差との関係も考慮して予め分類分けされたものである
ことを特徴とするオーディオ信号再生装置。
【請求項６】
記録しようとするオーディオ信号の音響特性を、補正制御信号に応じて補正する補正手段と、
前記補正手段からのオーディオ信号について記録のための処理を行なう記録信号処理手段と、
前記記録信号処理手段で処理されたオーディオ信号を記録媒体に記録する記録手段と、
人の耳の聴感特性を検査するための検査装置部と、
前記検査装置部での検査結果に基づいて、前記補正部に送る前記補正制御信号を生成する制御手段と、
を備えるオーディオ信号記録装置であって、
前記検査装置部は、
被験者の左耳と右耳のそれぞれが聴取する音を再生する左耳用音響再生手段と右耳用音響再生手段とに、検査用のオーディオ帯域の信号を出力する手段と、
前記検査用のオーディオ帯域の信号を発生する信号発生手段と、
前記左耳用音響再生手段に供給される信号と前記右耳用音響再生手段に供給される信号との間に時間差を与える時間差付与手段と、
前記時間差付与手段により前記時間差が付与された前記左耳用音響再生手段に供給される信号と前記右耳用音響再生手段に供給される信号との間の音量差を、前記被験者がなした操作入力に応じて調節する音量差調節手段と、
前記左耳用音響再生手段と前記右耳用音響再生手段との間の中央の位置に、前記検査用のオーディオ帯域の信号による再生音像が定位するように、前記被験者がなした操作入力に応じた前記音量差調節手段における前記音量差の値を取得する音量差取得手段と、
少なくとも前記時間差と前記音量差取得手段で取得された前記音量差との関係から前記被験者の聴感の特性を判定し、その判定結果を前記検査結果として前記制御手段に供給する判定手段と、
を備えることを特徴とするオーディオ信号記録装置。
【請求項７】
請求項６に記載のオーディオ信号記録装置において、
前記検査装置部は、
少なくとも前記時間差と前記音量差取得手段で取得された前記音量差との関係から予め分類分けされた複数タイプについてのタイプ分類情報を記憶するタイプ分類情報記憶手段を備え、
前記判定手段は、少なくとも、前記音量差取得手段で取得された前記音量差と、前記時間差と、前記タイプ分類情報記憶手段の前記タイプ分類情報とを用いて、前記被験者が前記複数タイプのうちのいずれのタイプに属するかを判定する
ことを特徴とするオーディオ信号記録装置。
【請求項８】
請求項７に記載のオーディオ信号記録装置において、
前記検査装置部は、
前記信号発生手段からの前記検査用のオーディオ帯域の信号として、単一周波数の信号とノイズ系の信号との２種類の信号を用い、
前記音量差取得手段は、前記単一周波数の信号および前記ノイズ系の信号のそれぞれについて前記被験者の操作入力に応じた音量差の情報を取得するものであると共に、
前記タイプ分類情報は、前記２種類の信号についての、前記時間差と前記音量差との関係も考慮されて予め分類分けされたものである
ことを特徴とするオーディオ信号記録装置。
【請求項９】
請求項７に記載のオーディオ信号記録装置において、
前記検査装置部は、
前記時間差付与手段で付与される時間差として、少なくとも異なる２種類の時間差を用い、それぞれの時間差について前記被験者の操作入力に応じた音量差の情報を求めると共に、
前記タイプ分類情報は、前記２種類の時間差と前記音量差との関係が考慮されて予め分類分けされたものである
ことを特徴とするオーディオ信号記録装置。
【請求項１０】
請求項７に記載のオーディオ信号記録装置において、
前記検査装置部は、
前記左耳用音響再生手段および前記右耳用音響再生手段への信号に対する前記時間差の与え方を、左右入れ換える手段を備え、
前記左右入れ換え手段で入れ換えられた時の時間差について前記被験者の操作入力に応じた音量差の情報を求めると共に、
前記タイプ分類情報は、前記左右入れ換えられた時の２種類の前記時間差と前記音量差との関係も考慮して予め分類分けされたものである
ことを特徴とするオーディオ信号記録装置。
【請求項１１】
オーディオ信号の再生に先立ち、リスナの聴感特性を検査する検査工程を実施し、前記検査工程で得られた検査結果に基づいて、音声補正制御信号を生成し、前記生成された音声補正制御信号により前記オーディオ信号を補正して再生出力するようにするオーディオ信号再生方法であって、
前記検査工程は、
左耳用音響再生手段と右耳用音響再生手段とにより、被験者の左耳と右耳とに、同じ音圧であるが、時間差がある音を加える工程と、
前記加えられた音の音像が、前記左耳用音響再生手段と前記右耳用音響再生手段との間の中央位置に定位するように、前記被験者により、前記時間差がある左耳と右耳とに加えられる音の音量が調整される時の音量調整量を受け付ける受付工程と、
前記受付工程で受け付けられた前記音量調整量と前記時間差とを用いて、前記被験者の聴感特性を判定し、その判定結果を前記検査結果として出力する判定工程と、
を備えるオーディオ信号再生方法。
【請求項１２】
オーディオ信号の記録に先立ち、ユーザの聴感特性を検査する検査工程を実施し、前記検査工程で得られた検査結果に基づいて、音声補正制御信号を生成し、前記生成された音声補正制御信号により前記オーディオ信号を補正し、補正後のオーディオ信号を記録するようにするオーディオ信号記録方法であって、
前記検査工程は、
左耳用音響再生手段と右耳用音響再生手段とにより、被験者の左耳と右耳とに、同じ音圧であるが、時間差がある音を加える工程と、
前記加えられた音の音像が、前記左耳用音響再生手段と前記右耳用音響再生手段との間の中央位置に定位するように、前記被験者により、前記時間差がある左耳と右耳とに加えられる音の音量が調整される時の音量調整量を受け付ける受付工程と、
前記受付工程で受け付けられた前記音量調整量と前記時間差とを用いて、前記被験者の聴感特性を判定し、その判定結果を前記検査結果として出力する判定工程と、
を備えるオーディオ信号記録方法。
【請求項１３】
オーディオ信号の音響特性を補正する補正制御信号を生成するオーディオ信号補正制御信号の生成装置であって、
被験者の左耳と右耳のそれぞれが聴取する音を再生する左耳用音響再生手段と右耳用音響再生手段とに、検査用のオーディオ帯域の信号を出力する手段と、
前記検査用のオーディオ帯域の信号を発生する信号発生手段と、
前記左耳用音響再生手段に供給される信号と前記右耳用音響再生手段に供給される信号との間に時間差を与える時間差付与手段と、
前記時間差付与手段により前記時間差が付与された前記左耳用音響再生手段に供給される信号と前記右耳用音響再生手段に供給される信号との間の音量差を、前記被験者がなした操作入力に応じて調節する音量差調節手段と、
前記左耳用音響再生手段と前記右耳用音響再生手段との間の中央の位置に、前記検査用のオーディオ帯域の信号による再生音像が定位するように、前記被験者がなした操作入力に応じた前記音量差調節手段における前記音量差の値を取得する音量差取得手段と、
少なくとも前記時間差と前記音量差取得手段で取得された前記音量差との関係から前記被験者の聴感の特性を判定する判定手段と、
前記判定手段の判定結果に基づいて、前記音声補正制御信号を生成する生成手段と、
を備えることを特徴とするオーディオ信号補正制御信号の生成装置。
【請求項１４】
オーディオ信号の音響特性を補正する補正制御信号を生成するオーディオ信号補正制御信号の生成方法であって、
左耳用音響再生手段と右耳用音響再生手段とにより、被験者の左耳と右耳とに、同じ音圧であるが、時間差がある音を加える工程と、
前記加えられた音の音像が、前記左耳用音響再生手段と前記右耳用音響再生手段との間の中央位置に定位するように、前記被験者により、前記時間差がある左耳と右耳とに加えられる音の音量が調整される時の音量調整量を受け付ける受付工程と、
前記受付工程で受け付けられた前記音量調整量と前記時間差とを用いて、前記被験者の聴感特性を判定する判定工程と、
前記判定工程の判定結果に基づいて、前記音声補正制御信号を生成する生成工程と、
を備えることを特徴とするオーディオ信号補正制御信号の生成方法。
【発明の詳細な説明】
【技術分野】
【０００１】
この発明は、各個人の聴感特性に応じた最適の補正がなされたオーディオ信号の再生装置および方法、記録装置および方法、並びに、その補正のためのオーディオ信号補正制御信号の生成装置および方法に関する。
【背景技術】
【０００２】
従来、一般的には、健聴者であれば、皆同じように音を感じていると思われている。ただ、加齢により難聴傾向が加わるだけであると考えられている。そこで、個人の耳の特性（聴感特性）は、例えば特許文献１（特開平１０−１２６８９６号公報）にも記載されているように、聴力検査で用いられている周波数特性やレベル特性により判断されるのが一般的である。
【０００３】
また、オーディオ信号再生装置においても、ユーザが自分の好みの音にするには、周波数特性を補正する、いわゆるトーンコントロール装置などの補正手段が用いられているだけである。
【０００４】
上記の特許文献および非特許文献は、次の通りである。
【特許文献１】特開平１０−１２６８９６号公報
【発明の開示】
【発明が解決しようとする課題】
【０００５】
しかしながら、特許文献１の聴力検査で用いられている周波数特性やレベル特性により判断する方法では、静的な耳の特性しか分からず、脳を介した動的な（時間的な）判断をする耳の特性をあらわすことが出来ない。
【０００６】
脳が音を認識する仕組みや過程はまだ少ししか解明されていない。特に、ハードウエアの差による音質の差がどこまで分かるか、あきらかではない。また、視覚が聴覚に与える影響も明らかではなく、例えば大きな重いアンプはしっかりとした低音が出そうなイメージを与え、小型の薄いアンプは中身の薄っぺらな音質しか出ないような評価が、しばし行なわれてきている。また、腹話術のように、どうしても視覚に引きずられて音源の方向を誤ることなどが何故起こるのかも解明はできてはいない。
【０００７】
鼓膜に達した音圧の変化は、個人差なく一様な受け取り方をしていると考えられがちであるが、音の感じ方は、個人の持つ音への経験や学習などにより大きく異なると予測される。
【０００８】
上記のように、個人の聴感の特性は、脳を含めた反応が反映されたものとして測定されるべきであると考えられる。そして、そのような脳を含めた耳の反応がどのようなものかに応じて適切に音質や音場を提供することができるようにすることが望ましい。しかし、このような観点からオーディオ信号の音響特性を補正するようにすることは、従来、全く行われてはいない。
【０００９】
この発明は、以上の点にかんがみ、個人の音の聴感を、脳を含めた反応を反映されたものとして検査して、聴感の個人差を客観化し、その検査結果をオーディオ信号に反映させて、ユーザ個々に最適な音場空間を提供することができるようにすることを目的とする。
【課題を解決するための手段】
【００１０】
上記の課題を解決するために、請求項１の発明は、
再生されたオーディオ信号の音響特性を、補正制御信号に応じて補正する補正手段と、
前記補正手段からのオーディオ信号を再生出力として出力する手段と、
人の耳の聴感特性を検査するための検査装置部と、
前記検査装置部での検査結果に基づいて、前記補正手段に送る前記補正制御信号を生成する制御手段と、
を備えるオーディオ信号再生装置であって、
前記検査装置部は、
被験者の左耳と右耳のそれぞれが聴取する音を再生する左耳用音響再生手段と右耳用音響再生手段とに、検査用のオーディオ帯域の信号を出力する手段と、
前記検査用のオーディオ帯域の信号を発生する信号発生手段と、
前記左耳用音響再生手段に供給される信号と前記右耳用音響再生手段に供給される信号との間に時間差を与える時間差付与手段と、
前記時間差付与手段により前記時間差が付与された前記左耳用音響再生手段に供給される信号と前記右耳用音響再生手段に供給される信号との間の音量差を、前記被験者がなした操作入力に応じて調節する音量差調節手段と、
前記左耳用音響再生手段と前記右耳用音響再生手段との間の中央の位置に、前記検査用のオーディオ帯域の信号による再生音像が定位するように、前記被験者がなした操作入力に応じた前記音量差調節手段における前記音量差の値を取得する音量差取得手段と、
少なくとも前記時間差と前記音量差取得手段で取得された前記音量差との関係から前記被験者の聴感の特性を判定し、その判定結果を前記検査結果として前記制御手段に供給する判定手段と、
を備えることを特徴とするオーディオ信号再生装置を提供する。
【００１１】
この発明によるオーディオ信号再生装置によれば、検査装置部でユーザの聴感が次のようにして検査される。
【００１２】
すなわち、同じ音圧であるが、時間差のある音が被験者の左右の耳に加えられる。すると、その音の音像定位は、左耳用音響再生手段と右耳用音響再生手段との中央ではなく、耳に先に到達する方の音響再生手段側に偏る。
【００１３】
この発明では、被験者が、左耳用音響再生手段と右耳用音響再生手段とから放音される音の音量差を変えることにより、その偏った音像定位が、センター定位（左耳用音響再生手段と右耳用音響再生手段との間の中央位置）となるように調節するようにする。
【００１４】
この調節結果の音量差と、左右の音の前記時間差とを用いて、被験者の聴感特性が判定される。これにより、個人毎の両耳に加えられた音に対する脳を含めた反応が判定され、聴感の個人差が客観化される。
【００１５】
したがって、求められたユーザの聴感特性に応じてオーディオ信号補正制御信号が生成されて、このオーディオ信号補正制御信号により、オーディオ信号が補正されると、ユーザに最適の音場空間が提供されるものである。
【発明の効果】
【００１６】
この発明によれば、個人毎の両耳に加えられた音に対する脳を含めた反応が反映された個人毎の聴感特性が求められ、その聴感特性からオーディオ信号補正制御信号が生成されるので、このオーディオ信号補正制御信号にオーディオ信号が補正されることにより、ユーザ個人ごとに最適音場を提供する音響再生システムを構築することが容易になる。
【発明を実施するための最良の形態】
【００１７】
以下、この発明によるオーディオ信号再生装置およびオーディオ信号記録装置の実施形態、また、オーディオ信号補正制御信号の生成装置の実施形態を、図を参照しながら説明する。
【００１８】
図２は、この発明によるオーディオ信号再生装置およびオーディオ信号記録装置の実施形態、また、オーディオ信号補正制御信号の生成装置の実施形態が適用された記録再生装置の構成例のブロック図である。この図２の例の記録再生装置は、受信した放送信号から映像情報と、例えば５．１チャンネル方式などのマルチチャンネルオーディオ情報とを分離し、再生する機能と、記録する機能とを備えている。そして、ユーザの聴感特性を検査して、再生オーディオ信号の音響特性を補正したり、補正後のオーディオ信号を記録することができるようにする機能も備えている。
【００１９】
この例の記録再生装置は、マイクロコンピュータを搭載して構成される制御部１０により、記録再生制御がなされると共に、種々の制御がなされる。この制御部１０には、操作入力部１１３が接続され、この操作入力部１１３を通じたユーザ操作に応じて、制御部１０は、記録処理、再生処理および後述するユーザの聴感特性の検査のための制御処理を実行する。
【００２０】
放送受信部１０１は、アンテナにより受け取った放送波から、所定の放送チャンネルの信号を選局受信する。ユーザからの操作入力部１１３を通じた放送チャンネルの選択操作に応じた選局制御信号が、制御部１０から、この放送受信部１０１に供給されて、この放送受信部１０１で、所定の放送チャンネルの放送信号が抽出され、映像／音声分離部１０２に供給される。
【００２１】
映像／音声分離部１０２では、放送信号から映像情報成分と、音声情報（オーディオ情報）成分とが分離され、映像情報成分は、映像信号処理部１０３に供給され、オーディオ情報成分は、マルチチャンネルデコード部１０４に供給される。
【００２２】
映像信号処理部１０３では、例えばデータ圧縮されている映像データが伸長デコードされ、所定のテレビジョン方式、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のアナログ映像信号に変換されて、映像出力端子１０５から出力される。映像出力端子１０５には、図示を省略したテレビモニターが接続され、その画面に放送番組の映像が表示される。
【００２３】
映像信号処理部１０３からは、また、伸長デコードされる前の圧縮映像データが記録エンコード部１０６に供給されて、記録エンコード処理された後、多重化部１０７に供給される。
【００２４】
マルチチャンネルデコード部１０４では、映像／音声分離部１０２からのオーディオ情報成分から、この例では、５．１チャンネルのオーディオデータがデコードされて得られる。
【００２５】
マルチチャンネルデコード部１０４からの５．１チャンネルのオーディオデータは補正部１０８に供給される。補正部１０８は、制御部１０からのオーディオ信号補正制御信号（音響補正パラメータ）を用いて、マルチチャンネルオーディオデータを音響補正する。音響補正パラメータは、後述するように、検査されたユーザの聴感特性に応じて生成されたもので、ユーザの聴感特性に最適の音場空間を形成することができるように、各チャンネルのオーディオデータに対して、レベルや位相（遅延）を補正するためのものである。
【００２６】
補正部１０８で補正されたオーディオデータは、音声出力処理部１０９に供給されて、アナログオーディオ信号に変換され、オーディオ信号出力端子１１０を通じて、マルチチャンネルスピーカシステムに供給される。
【００２７】
なお、図２では、マルチチャンネルデコード部１０４、補正部１０８、音声出力処理部１０９は、オーディオ信号の１チャンネル分のみのように記載されているが、実際には、例えば、前方左、前方右、前方中央、後方左、後方右、低域専用からなる５．１チャンネルのオーディオデータが、これらの各部で処理される。
【００２８】
補正部１０８からのオーディオデータは、また、記録エンコード部１１１に供給されて、マルチチャンネルのオーディオデータが再多重化されるとともに圧縮処理されて、多重化部１０７に供給される。多重化部１０７では、記録エンコード部１０６からの映像データと、記録エンコード部１１１からのオーディオデータが、時分割多重あるいはブロック多重されて、記録用データとされる。
【００２９】
そして、多重化部１０７からの記録用データは、記録アンプ１１２を通じて書き込み部１１３に供給され、この書き込み部１１３により、例えばハードディスク装置を記録媒体とする記録部１２０に記録される。
【００３０】
そして、この実施形態では、制御部１０には、検査装置部１００が接続され、この検査装置部１００が用いられて、ユーザの聴感特性が検査され、判定され、その判定結果が制御部１０に供給される。制御部１０、このユーザの聴感特性の判定結果から、オーディオ信号補正制御信号を生成し、補正部１０８に供給する。これにより、図２の装置は、ユーザ固有の聴感特性に応じてオーディオ信号が補正されることになる。
【００３１】
検査装置部１００の構成例について、以下に説明する。
【００３２】
前述したように、脳が音を認識する仕組みや過程はまだ少ししか解明されていない。また、人が聴こえる周波数の範囲と、情報を伝える神経の反応速度との間に大きな開きがある。大脳皮質での典型的な神経の発火頻度は数十Ｈｚで、音として認識できる上限である２０ｋＨｚとの間には１０００倍もの速度差がある。
【００３３】
この速度差を埋めるために、聴覚系は、情報を空間的に展開するという戦略を採っている。聴覚系の神経回路では、この戦略を実施するために蝸牛から大脳までの経路が５段階の処理基地を経由するなど、かなり複雑なパスを経由して脳に情報を届けている。視覚系などは同様の中継が１段階に過ぎないことと比較すると、音響信号を大脳で処理できる形にするまでに、いかに多くの変換が必要であるかを物語っている。
【００３４】
この発明の実施形態においては、上述の点に注目し、両耳に所定の音を加え、それに対する脳を含めた反応がわかり易く示せる方法で個人の耳の特性を表せるようにする。この実施形態では、聴覚の時間と強さの交換作用を利用する。
【００３５】
ここで、聴覚の時間と強さの交換作用とは、例えば文献“システムと制御  第２６巻第９号（１９８２）  ｐｐ．５５９〜５６６「耳の機能」”に記載されているように、次のようなものである。
【００３６】
すなわち、上記文献には、「一般に、音源が正面から右の方向にあれば、右耳には左耳に比べてより強い音が時間的に早く到着する。したがって、聴覚は音の強さの両耳間差ΔＩあるいは音の到着時間の両耳間差Δｔを方向知覚の手がかりとして用いていることが予想できる。・・・特に、ΔＩとΔｔを独立に逆方向に変化させると、たとえばΔｔによって音像を右に寄せ、ΔＩによって中央に戻すことも可能である。この現象を時間と強さの交換作用（Time−Intensity  Trade）と呼び・・・」と記載されている。
【００３７】
この実施形態では、この聴覚の時間と強さの交換作用を利用して、同じ音圧であるが、時間差のある音を左右の両耳に加えることにより、左右の一方側に偏って定位する音像を形成させ、それを被験者に聴取させる。そして、偏って定位している音像がセンター定位となるように、被験者に、左右の音間の音量差を調節させる。そして、その時の調節値を測定値として記録するようにする。
【００３８】
この実施形態では、以上の検査を、信号源と、左右時間差とを変えると共に、左右を入れ替えて行なって、得られた検査結果から、被験者の聴感のタイプを判定するようにする。ここで、聴感のタイプは、信号源と、左右時間差と、上記の左右の音間の音量差の調節値から、予め複数タイプに分類して用意しておき、被験者の聴感のタイプが、当該用意されている複数タイプのうちの、いずれのタイプになるかを判定するようにする。
【００３９】
図１は、検査装置部の一実施形態のハードウエア構成例を示すブロック図である。この実施形態では、信号源は、例えば、５００Ｈｚと、５ｋＨｚとの２種の単一周波数の信号を発生させるものと、ピンクノイズを発生させるものとの合計３個を用いるようにしている。
【００４０】
また、左右時間差ＤＬは、０μＳ（マイクロ秒、以下同じ）、つまり時間差なしと、２種の時間差ＤＬ１，ＤＬ２、例えばＤＬ１＝６６μＳ、ＤＬ２＝２７０μＳの３種を用いるようにしている。
【００４１】
図１において、信号源１は、この例では５００Ｈｚの単一周波数の信号ＳＡを発生し、信号源２は、この例では、５ｋＨｚの単一周波数の信号ＳＢを発生し、信号源３は、この例ではピンクノイズを発生する。
【００４２】
これら信号源１，２，３からの信号ＳＡ，ＳＢ，ＳＣは、セレクタ４に供給される。セレクタ４は、制御部１０からの選択制御信号ＳＥＬ１により選択制御されて、３種の信号ＳＡ，ＳＢ，ＳＣのうちの一つを選択して、出力信号とする。
【００４３】
制御部１０は、この検査装置部１００に対しては、セレクタ４の選択制御のほか、後述する、セレクタ６３の選択制御、左右信号切替回路５の切替制御、レベル調節部７でのレベル制御、および被験者に対する聴感検査判定処理を制御する。
【００４４】
セレクタ４の出力信号は、左右信号切替回路５の一方の入力端に供給されると共に、時間差付与回路６およびレベル調節部７を通じて、左右信号切替回路５の他方の入力端に供給される。
【００４５】
時間差付与回路６は、この例では、２個の遅延回路６１，６２と、セレクタ６３とで構成される。そして、セレクタ４の出力信号が遅延されることなく、信号Ｓｄ０としてセレクタ６３に供給される。また、セレクタ４の出力信号が遅延回路６１に供給されて、この例ではＤＬ１＝６６μＳだけ遅延された信号Ｓｄ１が生成され、この信号Ｓｄ１がセレクタ６３に供給される。さらに、セレクタ４の出力信号が遅延回路６２に供給されて、この例ではＤＬ２＝２７０μＳだけ遅延された信号Ｓｄ２が生成され、この信号Ｓｄ２がセレクタ６３に供給される。
【００４６】
したがって、この例では、セレクタ６３には、セレクタ４の出力信号が、３種の遅延量を付与された状態（遅延なし、遅延量６６μＳだけ遅延、遅延量２７０μＳだけ遅延）で入力される。そして、セレクタ６３は、制御部１０からの選択制御信号ＳＥＬ２により選択制御されて、３種の信号Ｓｄ０，Ｓｄ１，Ｓｄ２のうちの一つを選択して、出力信号とする。そして、このセレクタ６３の出力信号が時間差付与回路６の出力としてレベル調節部７に供給される。
【００４７】
レベル調節部７は、被験者の左右の耳に加えられる音の音量差を調節する音量差調節手段の一例を構成するもので、制御部１０からのレベル調節制御信号を受けて、その入力信号のレベルを調節し、そのレベル調節後の信号を左右信号切替回路５に供給する。制御部１０は、被験者が操作するレベル調節用つまみ１１の操作入力を受けて、レベル調節用つまみ１１に対する被験者の操作量に応じたレベル調節制御信号を生成し、レベル調節部７に供給する。
【００４８】
左右信号切替回路５は、左耳用の出力信号ＳＬと、右耳用の出力信号ＳＲとを出力するが、その一方の入力信号を左耳用の出力信号ＳＬとし、かつ、他方の入力信号を右耳用の出力信号ＳＲとする第１の切替状態（切替１）と、他方の入力信号を左耳用の出力信号ＳＬとし、かつ、一方の入力信号を右耳用の出力信号ＳＲとする第２の切替状態（切替２）とを、制御部１０からの左右信号切替制御信号により切り替える。
【００４９】
この左右信号切替回路５からの左耳用の出力信号ＳＬは、出力アンプ８を通じ、また、左オーディオ信号出力端子１２を通じて、左耳用音響再生手段の例としてのヘッドホン２０の左チャンネル用のユニット２０Ｌに供給される。また、左右信号切替回路５からの右耳用の出力信号ＳＲは、出力アンプ９を通じ、また、右オーディオ信号出力端子１３を通じて、右耳用音響再生手段の例としてのヘッドホン２０の右チャンネル用のユニット２０Ｒに供給される。
【００５０】
ヘッドホン２０は、被験者（この例の記録再生装置のユーザ）２１の頭部に装着されるもので、被験者２１は、ヘッドホン２０で検査用の音を聴きながら、レベル調節用つまみ１１を調節操作する。制御部１０は、前述したように、レベル調節用つまみ１１に対する調節操作の入力を受けて、レベル調節部７のレベル調節制御信号を生成する。
【００５１】
制御部１０には、また、この実施形態では、タイプ分類情報記憶部１４が接続されていると共に、検査時に被験者に対するメッセージや、被験者のタイプ判定出力を表示するためのディスプレイ１５が接続されている。ディスプレイ１５は、例えばＬＣＤ（Ｌｉｑｕｉｄ  Ｃｒｙｓｔａｌ  Ｄｉｓｐｌａｙ）などにより構成される。
【００５２】
この実施形態では、個人の聴感のタイプが、信号源の種類と、時間差（遅延量）と、左右切り替えによる差異とに応じて、予め、複数のタイプ、以下に説明する例では、８タイプに分類される。
【００５３】
図３は、このタイプ分類情報記憶部１４に記憶されるタイプ分類情報の一例である。この例では、
（１）左右を切り替えたときに、検査結果に有意差があるかどうかで分類する（左右同系と左右異系）
（２）遅延量が変わったときに、検査結果に有意差があるかどうかで分類する（遅延量で差異無しと、遅延量で差異有り）
（３）単一周波数の信号源のときと、ピンクノイズの信号源のときとで検査結果に有意差があるかどうかで分類する（信号源で差異無しと、信号源で差異有り）
の３つの分類条件で分類して、８タイプに分類している。
【００５４】
そして、この例のタイプ分類情報記憶部１４には、予め各タイプの聴感特性に対して、この例の場合の５．１チャンネルのオーディオ信号の音場空間として最適となる音響補正パラメータ１〜８のデータが記憶されている。制御部１０は、タイプ分類情報記憶部１４のデータを用いてタイプ判定を行うと共に、判定結果のタイプから、最適の音響補正パラメータデータを、タイプ分類情報記憶部１４から取得し、それを補正部１０８に供給するようにする。
【００５５】
なお、図２では、省略したが、記録部１２０に記録された映像／音声データは、読み出し部により読み出され、その読み出されたデータが映像／音声分離部１０２に供給されることで、記録部１２０に記録された映像／音声データも、受信された映像／音声データと同様にして再生される。
【００５６】
［聴感特性の検査の処理手順］
次に、図１の例の検査装置部を用いて、被験者の聴感特性を検査して、タイプ判定を行なう処理手順について、図４および図５のフローチャートを参照しながら説明する。
【００５７】
この実施形態では、図４および図５のフローチャートは、制御部１０を構成するマイクロコンピュータが自動的に、検査手順を実行するようにしている。
【００５８】
被験者２１にヘッドホン２０を装着してもらい、レベル調節用つまみ１１を操作可能なように準備してもらった後、所定の操作入力手段（図示は省略）を通じて検査開始指示が検査装置になされると、図４のスタートから処理開始となり、制御部１０は、先ず、最初に検査される信号源、この例では、周波数が５００Ｈｚの信号源１からの信号ＳＡをセレクタ４から出力するようにセレクタ４を制御する（ステップＳ１０１）。次に、制御部１０は、セレクタ６３から遅延量がゼロの信号Ｓｄ０を出力するようにセレクタ６３を制御する（ステップＳ１０２）。
【００５９】
そして、制御部１０は、レベル調節部７のレベル調節量はゼロとして、被験者２１の左右の耳に同じ音圧で音が加えられるようにする（ステップＳ１０３）。なお、左右信号切替回路５は、初期状態とされ、例えばセレクタ４から左右信号切替回路５の一方の入力端に供給される信号が左耳用の出力信号ＳＬとされ、かつ、レベル調節部７から左右信号切替回路５の他方の入力端に供給される信号が右耳用の出力信号ＳＲとされている。
【００６０】
次に、制御部１０は、被験者２１に対して、ヘッドホン２０により左右の耳に放音された音により、音像が頭の真中に定位（センター定位）していることを確認するように促すメッセージを、ディスプレイ１５の画面に表示する（ステップＳ１０４）。
【００６１】
このメッセージ表示に対して被験者２１は、所定の操作入力手段（図示は省略）を通じて確認完了を意味する入力をするので、制御部１０は、その確認完了入力を待つ（ステップＳ１０５）。
【００６２】
被験者２１からの確認完了入力を確認すると、制御部１０は、セレクタ６３から遅延量が６６μＳの信号Ｓｄ１を出力するようにセレクタ６３を制御する（ステップＳ１０６）。これにより、被験者２１は、ヘッドホン２０により左右の耳に放音された音が左耳側に偏った位置に音像が定位するように聴取する状態になる。
【００６３】
制御部２０は、ディスプレイ１５の画面に、再生音の音像がセンター定位となるように音量調節するように促すメッセージを表示する（ステップＳ１０７）。被験者２１は、このメッセージに応じてレベル調節用つまみ１１を操作し、センター定位を確認すると、調節完了を意味する操作を、前記の所定の操作入力手段を通じて行なう。
【００６４】
制御部１０は、被験者２１のレベル調節用つまみ１１の操作入力を監視し（ステップＳ１０８）、操作入力があったと判別すると、レベル調節部７を被験者２１の調節操作量に応じてレベル制御する（ステップＳ１０９）。
【００６５】
そして、制御部１０は、音量調節完了を意味する操作入力があったか否か判別する（ステップＳ１１０）。また、ステップＳ１０８で、レベル調節用つまみ１１の操作入力は無いと判別したときにも、制御部１０は、ステップＳ１１０に進み、音量調節完了を意味する操作入力があったか否か判別する。
【００６６】
そして、制御部１０は、ステップＳ１１０で、音量調節完了を意味する操作入力がないと判別したときには、ステップＳ１０８に戻り、音量調節完了を意味する操作入力があったと判別したときには、その時のレベル調節値を、その時の信号源の識別子と、遅延量とに対応付けて、記憶するようにする（ステップＳ１１１）。
【００６７】
記憶が完了すると、制御部１０は、レベル調節部７のレベル調整値を零に戻し（ステップＳ２０１）、セレクタ６３から遅延量が２７０μＳの信号Ｓｄ２を出力するようにセレクタ６３を制御する（ステップＳ２０２）。これにより、被験者２１は、ヘッドホン２０により左右の耳に放音された音が左耳側に偏った位置に音像が定位するように聴取する状態になる。
【００６８】
制御部２０は、ディスプレイ１５の画面に、再生音の音像がセンター定位となるように音量調節するように促すメッセージを表示する（ステップＳ２０３）。被験者２１は、このメッセージに応じてレベル調節用つまみ１１を操作し、センター定位を確認すると、調節完了を意味する操作を、前記の所定の操作入力手段を通じて行なう。
【００６９】
制御部１０は、被験者２１のレベル調節用つまみ１１の操作入力を監視し（ステップＳ２０４）、操作入力があったと判別すると、レベル調節部７を被験者２１の調節操作量に応じてレベル制御する（ステップＳ２０５）。
【００７０】
そして、制御部１０は、音量調節完了を意味する操作入力があったか否か判別する（ステップＳ２０６）。また、ステップＳ２０４で、レベル調節用つまみ１１の操作入力は無いと判別したときにも、制御部１０は、ステップＳ２０６に進み、音量調節完了を意味する操作入力があったか否か判別する。
【００７１】
そして、制御部１０は、ステップＳ２０６で、音量調節完了を意味する操作入力がないと判別したときには、ステップＳ２０４に戻り、音量調節完了を意味する操作入力があったと判別したときには、その時のレベル調節値を、その時の信号源の識別子と、遅延量とに対応付けて、記憶するようにする（ステップＳ２０７）。
【００７２】
次に、制御部１０は、３個の信号源１，２，３のすべてからの信号についての検査が終了したか否か判別し（ステップＳ２０８）、終了していないと判別したときには、検査が終了していない信号源からの信号をセレクタ４から出力するようにセレクタ４を制御する（ステップＳ２０９）。そして、ステップＳ１０２に戻り、このステップＳ１０２を実行して、上述のように、検査処理を実行する。
【００７３】
これにより、検査装置は、周波数が５ｋＨｚの信号源２からの信号ＳＢについての検査処理を実行し、次いで、ピンクノイズの信号源３からの信号ＳＣ（ピンクノイズ）について検査処理を実行する。
【００７４】
そして、ステップＳ２０８で、全ての信号源１〜３からの信号ＳＡ〜ＳＣについての検査が終了したと判別したときには、制御部１０は、左右切り替えを行なったか否か判別し（ステップＳ２１０）、未だ、左右切り替えを行なってはいないと判別したときには、左右信号切替回路５を制御して、この回路５の一方および他方の信号と、左耳用の出力信号ＳＬおよび右耳用の出力信号ＳＲとの関係を切り替える（ステップＳ２１１）。つまり、この例では、セレクタ４から左右信号切替回路５の一方の入力端に供給される信号が右耳用の出力信号ＳＲとされ、かつ、レベル調節部７から左右信号切替回路５の他方の入力端に供給される信号が左耳用の出力信号ＳＬとされる。
【００７５】
そして、制御部１０は、ステップＳ１０１に戻り、上述したステップＳ１０１からの処理を繰り返す。
【００７６】
左右信号切替回路５で切り替えた状態での上記ステップＳ１０１からの処理が終了すると、制御部１０は、ステップＳ２１０では、左右切り替えをしたと判別し、ステップＳ１１１およびステップＳ２０７で記憶したレベル値と、信号源と、遅延量とに付いてのデータを解析し、その解析結果を用いて、タイプ分類情報記憶部１４を参照し、被験者２１がいずれのタイプに属するかを判定し、その判定結果を、この例では、ディスプレイ１５の画面に表示して出力する（ステップＳ２１２）。
【００７７】
そして、制御部１０は、判定結果のタイプによりタイプ分類情報記憶部１４を参照し、対応する音響補正パラメータを取得し、取得した音響補正パラメータをオーディオ信号補正制御信号として補正部１０８に供給する（ステップＳ２１３）。
【００７８】
図６に、以上の検査処理により、被験者Ａと、被験者Ｂとについて得られたデータの例を示す。この図６から、被験者Ａは、左右信号切り替えをしても、検査結果（音量調整量）に変わりは無いので、左右同系である判定される。また、被験者Ａは、遅延量６６μＳと遅延量２７０μＳとで、検査結果（音量調整量）が変わっており、さらに、信号源１に付いての検査結果（音量調整量）と、信号源３に付いての検査結果（音量調整量）とでは差異は無いので、図３から、被験者Ａの聴感特性は、タイプ３と判定される。
【００７９】
また、被験者Ｂは、左右信号切り替えをしたとき、検査結果（音量調整量）が変わるので、左右異系である判定される。また、被験者Ｂは、遅延量６６μＳと遅延量２７０μＳとで、検査結果（音量調整量）が変わっており、さらに、信号源１に付いての検査結果（音量調整量）と、信号源３に付いての検査結果（音量調整量）とでも差異が有るので、図３から、被験者Ｂの聴感特性は、タイプ８と判定される。
【００８０】
制御部１０は、このタイプ判定を受けて、対応する音響補正パラメータ８を、タイプ分類情報記憶部１４から読み出して取得し、それを補正部８に送り、マルチチャンネルデコード部１０４からのオーディオ信号について、ユーザの聴感特性に最適の音場空間が得られるように補正するようにする。記録再生装置は、当該補正されたオーディオ信号を再生し、また、記録するようになる。
【００８１】
以上のようにして、実施形態の検査装置により、個人毎の両耳に加えられた音に対する脳を含めた反応が、分類された複数タイプの内のいずれのタイプに属するかにより、判定され、聴感の個人差が客観化される。
【００８２】
そして、この実施形態では、この判定結果の聴感のタイプは、特に音像の定位に関しての情報として有効である。タイプ分類情報記憶部１４に記憶されている音響補正パラメータは、聴感のタイプに対応して、マルチチャンネルオーディオソースの再生において、マルチチャンネルスピーカを用いた最適な音場空間が作れるようにする最適のマルチチャンネルオーディオ信号のミキシング用のセッティングパラメータが予め決められたものである。
【００８３】
したがって、この判定された聴感のタイプに応じた音響補正パラメータをオーディオ信号を補正することにより、ユーザ個々に最適のマルチチャンネルオーディオ信号のミキシング用のセッティングパラメータが決められ、マルチチャンネルスピーカを用いた最適な音場空間が作れると期待される。
【００８４】
従来、一般的には、健聴者であれば、皆同じように音を感じていると思われていた。しかし、メガネを買った人なら経験したはずであるが、近視、遠視、乱視、老眼、色弱、色盲といろいろなパラメータが複雑に絡みあっていても、検査機でその度合いが調べられ、個人の目の特性が補正され、人それぞれのメガネが作られている。
【００８５】
耳も、本来は、同様に加齢による難聴傾向だけでなく、音は後天的に獲得した様々のパラメータが人それぞれに存在するため、同じ音を聴いても、聴こえ方が様々に変化しているはずであるが、現在は、全くそれらが問題視されていない。
【００８６】
この実施形態では、上述のように、強さと時間の交換作用の程度を調べて、個人の耳の反応するタイプを特定し、そのタイプに応じた音響補正パラメータを用いてオーディオ信号を補正するようにしたので、各個人の一番聞きやすい音質や音場が提供できるようになると期待できる。
【００８７】
特に、今後、複数のスピーカを用いたオーディオシステムで、音場を強調するようオーディオ再生システムが、ＤＳＰ（Ｄｉｇｉｔａｌ  Ｓｉｇｎａｌ  Ｐｒｏｃｅｓｓｏｒ）の高速化、低コスト化に伴い、出現してくる可能性が高いが、それらのシステムに、この実施形態の再生部を適用すれば、当該システムの利用者に最適な音場空間を提供できることが期待される。
【００８８】
［その他の実施形態および変形例］
なお、制御部１０のソフトウエアによる検査方法の手順制御処理と検査装置部１００とからなる部分、つまりオーディオ信号補正制御信号の生成装置の部分と、検査装置部１００を除く記録再生装置の部分とを別々の構成とし、オーディオ信号補正制御信号の生成装置部分で検査を行い、判定した結果である聴感のタイプの情報を、記録再生装置に入力するようにしてもよい。
【００８９】
この場合には、記録再生装置は、検査装置部１００を備える必要はないが、制御部１０には、複数の聴感タイプと音響補正パラメータとの対応テーブル情報メモリを接続するようにする。
【００９０】
そして、聴感のタイプの情報が記録再生装置に入力されると、記録再生装置の制御部１０は、対応テーブル情報メモリから、入力されたタイプに対応する音響補正パラメータを読み出し、補正部１０８のオーディオ信号補正制御信号としてセットする。
【００９１】
記録再生装置に対するタイプの情報の入力方法は、例えばユーザやオペレータが操作入力部１１４を通じて入力する方法が用いられる。例えば、オーディオ信号補正制御信号の生成装置をメーカのサービスショップや、記録再生装置の販売店に置き、記録再生装置の購入の際に、当該購入ユーザに聴感特性の検査を受けてもらい、その検査結果として聴感タイプを得、それを記録再生装置に入力するものである。
【００９２】
なお、オーディオ信号補正制御信号の生成装置と記録再生装置とが、有線あるいは無線で接続されている場合には、ユーザやオペレータが入力することなく、それらの接続部分を通じて、タイプの情報をオーディオ信号補正制御信号の生成装置から記録再生装置に送信して、記録再生装置に入力するようにすることもできる。オーディオ信号補正制御信号の生成装置と記録再生装置とが、ネットワークを通じて接続されている場合にも同様である。
【００９３】
なお、上述の実施形態は、記録再生装置の構成としたが、記録再生装置の構成ではなく、再生専用機、記録専用機の構成にも、この発明は適用可能である。また、検査装置部１００と制御部１０のソフトウエア部分とに相当する構成により、オーディオ信号補正制御信号の生成装置の実施形態を構成することもできる。
【００９４】
また、スピーカを用いたオーディオシステムだけでなく、ヘッドホンを用いたオーディオシステムの場合も、同様にして、各個人の聴感のタイプに応じた最適パラメータをセットすることが可能である。
【００９５】
なお、上述の実施形態では、各個人の聴感の特性は、前述のようなタイプ分類のみで表すようにしたが、上述のタイプの判定に加えて、従来からの聴力検査の周波数特性とレベル特性とを加味して、被験者の聴感のタイプを詳細に決定するようにしても良い。
【００９６】
また、上述の実施形態では、３種の信号源と、２種の時間差（遅延無しを加えるとすると、３種）、左右信号切替と、それぞれの状態において得られる被験者から入力されるレベル調節値とから、複数のタイプの分類をしたが、少なくとも、複数種の時間差と、その時間差のときに得られる被験者から入力されるレベル調節値とから、複数のタイプの分類をすることができるものである。すなわち、信号源の種類（周波数のみでなく、同相、逆相などでもよい）や、左右信号切替は、必要に応じてタイプ分類に用いるようにすることができる。
【００９７】
また、上述の実施形態で用いた信号源の種類や数、時間差の種類や数は、これに限られるものではないことは言うまでもない。
【００９８】
また、上述の実施形態では、制御部１０がすべて自動的に検査工程を管理するようにしたが、オペレータが検査装置を操作して、信号源を変えたり、時間差を変えたり、また、左右切り替え操作をするなどして、被験者に対する検査手順を実行するようにしても良いことは言うまでもない。
【００９９】
時間差付与回路６は、上述の構成に限られるものではなく、また、音量差調節手段も、上述の実施形態に限られるものではない。
【０１００】
さらに、上述の実施形態では、左耳用音響再生手段と右耳用音響再生手段としては、ヘッドホンの左右のユニットを用いたが、スピーカを用いても良いことは勿論である。
【０１０１】
また、以上の実施の形態では、判定結果として聴感タイプを求め、その聴感タイプからオーディオ信号補正制御信号を求めるようにしたが、聴感タイプを求めることなく、検査結果情報から、直接的に、適切なオーディオ信号補正制御信号を選定するようにすることもできる。
【図面の簡単な説明】
【０１０２】
【図１】この発明によるオーディオ信号記録装置およびオーディオ信号再生装置の実施形態としての記録再生装置の一例における検査装置部の構成例のブロック図である。
【図２】この発明によるオーディオ信号記録装置およびオーディオ信号再生装置の実施形態としての記録再生装置の一例の構成例を示すブロック図である。
【図３】この発明による検査装置の実施形態に用いるタイプ分類情報の例を示す図である。
【図４】この発明の実施形態におけるユーザの聴感特性の検査方法の手順の一例を説明するためのフローチャートの一部である。
【図５】この発明の実施形態におけるユーザの聴感特性の検査方法の手順の一例を説明するためのフローチャートの一部である。
【図６】この発明の実施形態におけるユーザの聴感特性の検査方法により取得された検査結果情報の例を示す図である。
【符号の説明】
【０１０３】
１〜３…信号源、４，６３…セレクタ、５…左右信号切替回路、６…時間差付与回路、７…レベル調節部、１１…レベル調節用つまみ、１４…タイプ分類情報記憶部、６１，６２…遅延回路、１００…検査装置部、１０８…補正部、１１３…書き込み部
【図１】
2006319847.tif 000003
【図２】
2006319847.tif 000004
【図３】
2006319847.tif 000005
【図４】
2006319847.tif 000006
【図５】
2006319847.tif 000007
【図６】
2006319847.tif 000008